(57)【特許請求の範囲】
【請求項１】
固形物を含有する流体媒体を搬送するロータリローブポンプ（１００）であって、
搬送される媒体用の入口開口（１１１）および出口開口（１１２）と、
ポンプケーシング（１４０）内に配置され、かつ互いに係合するロータリローブベーンを有する２つのロータリローブ（１２１、１２２）を備え、上記２つのロータリローブは、各シャフト（１３１）にトルク耐性を有するように固定されて、上記各シャフトによって駆動することができ、上記２つのシャフトは、ギアボックスケーシング（１５２）内に配置された伝動ギアによって互いに連結され、
上記２つのシャフト（１３１）はそれぞれ、長手方向において分割されることなく連続して延びており、
上記入口開口および上記出口開口は、接続ケーシング（１５１）に配置されており、
上記ギアボックスケーシング（１５２）および上記接続ケーシング（１５１）は、伝動ユニット（１５０）として統合されていることを特徴とするロータリローブポンプ（１００）。
【請求項２】
上記ポンプケーシング（１４０）と上記伝動ユニット（１５０）は、互いに取り外し可能に連結されていることを特徴とする請求項１に記載のロータリローブポンプ（１００）。
【請求項３】
上記２つのロータリローブ（１２１、１２２）は、上記各シャフト（１３１）に取り外し可能に固定されていることを特徴とする請求項１または２に記載のロータリローブポンプ（１００）。
【請求項４】
上記ポンプケーシング（１４０）と上記伝動ユニット（１５０）の間に配置され、かつ上記伝動ユニットに取り外し可能に固定された摩耗プレート（１６０）を備えたことを特徴とする請求項１から３のいずれか１つに記載のロータリローブポンプ（１００）。
【請求項５】
上記ロータリローブポンプは、１つだけの摩耗プレート（１６０）を有することを特徴とする請求項１から４のいずれか１つに記載のロータリローブポンプ（１００）。
【請求項６】
上記ポンプケーシング（１４０）は、上記２つのシャフト（１３１）用の軸受を有しないことを特徴とする請求項１から５のいずれか１つに記載のロータリローブポンプ（１００）。
【請求項７】
上記ポンプケーシング（１４０）は、一体構造であることを特徴とする請求項１から６のいずれか１つに記載のロータリローブポンプ（１００）。
【請求項８】
上記入口開口（１１１）は第１流路（１１３）を経由して、上記出口開口（１１２）は第２流路（１１４）を経由して、上記ポンプケーシングの内側に形成されたポンプチャンバ（１４１）に接続され、上記第１流路および上記第２流路のうちのそれぞれの少なくとも一部は、上記シャフト（１３１）と平行で実質的に軸方向に延びることを特徴とする請求項１から７のいずれか１つに記載のロータリローブポンプ（１００）。
【請求項９】
上記入口開口（１１１）および上記出口開口（１１２）は、上記ロータリローブポンプの動作中に、上記接続ケーシング（１５１）の上半分に配置されていることを特徴とする請求項１から８のいずれか１つに記載のロータリローブポンプ（１００）。
【請求項１０】
上記入口開口（１１１）および上記出口開口（１１２）は、上記ロータリローブポンプの動作中に、上記入口開口を包含する平面に直角な第１軸、および、上記出口開口を包含する平面に直角な第２軸が、それぞれ垂直から４５度の角度で傾くように、上記接続ケーシング（１５１）に配置されていることを特徴とする請求項１から９のいずれか１つに記載のロータリローブポンプ（１００）。
【請求項１１】
上記入口開口に取り付けられかつ入口フランジ（１１７）を含む入口接続部材（１１５）、および、上記出口開口（１１２）に取り付けられかつ出口フランジ（１１８）を含む出口接続部材（１１６）を備え、上記入口接続部材および上記出口接続部材は、上記ロータリローブポンプの動作中に、上記入口フランジおよび／または上記出口フランジが第１固定位置に水平に配置されるように、および／または、上記入口フランジおよび／または上記出口フランジが第２固定位置に直角に配置されるように設計され、上記接続ケーシング（１５１）に取り付けることができることを特徴とする請求項１から１０のいずれか１つに記載のロータリローブポンプ（１００）。
【請求項１２】
上記接続ケーシング（１５１）は、搬送される媒体を排出できる少なくとも１つの開閉自在な排出孔を含むことを特徴とする請求項１から１１のいずれか１つに記載のロータリローブポンプ（１００）。
【請求項１３】
異なる大きさおよび／または異なる容量からなるロータリローブポンプ（１００）を提供するロータリローブポンプ用組み立てキットであって、請求項１から１２のいずれか１つに記載のロータリローブポンプを含むロータリローブポンプ用組み立てキットにおいて、さらに、互いに係合するロータリローブベーンを有する異なる大きさの少なくとも２つの追加のロータリローブを備え、上記２つのシャフト（１３１）および上記異なる大きさの少なくとも２つの追加のロータリローブは、上記異なる大きさの少なくとも２つの追加のロータリローブが、上記２つのシャフトのうちの各１つに着脱自在であるように設計されていることを特徴とするロータリローブポンプ用組み立てキット。
【請求項１４】
異なる大きさの少なくとも１つの追加のポンプケーシングを備え、上記伝動ユニット（１５０）および上記異なる大きさの少なくとも１つの追加のポンプケーシングは、上記異なる大きさの少なくとも１つの追加のポンプケーシングが上記伝動ユニットに着脱自在であるように設計されていることを特徴とする請求項１３に記載のロータリローブポンプ用組み立てキット。
【発明の詳細な説明】
【技術分野】
【０００１】
本発明は、固形物を含有する流体媒体を搬送するロータリローブポンプ（rotary lobe pump）であって、搬送される媒体用の入口開口および出口開口と、ポンプケーシング内に配置され、かつ他方と係合するロータリローブベーンを有する２つのロータリローブ（rotary lobe）とを備え、２つのロータリローブは、各シャフトにトルク耐性を有するように固定され、かつ、上記各シャフトによって駆動することができ、２つのシャフトは、ギアボックスケーシング内に配置された伝動ギアによって互いに連結されているロータリローブポンプに関する。
【０００２】
また、本発明は、ロータリローブポンプを提供するロータリローブポンプ用組み立てキットに関する。
【０００３】
最初に特定された種類のロータリローブポンプは、本出願人の特許、例えば、ドイツ特許出願公開第１０  ２００７  ０５４  ５４４Ａ１号（特許文献１）および欧州特許第１  ６２４  １８９Ｂ１号（特許文献２）から、並びに、ドイツ特許出願公開第１０  ２００５  ０１７５７５Ａ１号（特許文献３）および国際公開第２００７／０２６  １０９Ａ１号（特許文献４）から知られており、固形物を含有する流体媒体を搬送するのに用いられる。例えば、液体肥料などの不均質の流体は、ロータリローブポンプを用いて搬送することができる。搬送対象の媒体は、ポンプケーシングに配置された入口開口を経由してポンプケーシングの内部に入り、ポンプケーシングに配置された出口開口の方向へ、２つの駆動ロータリローブの互いにかみ合うロータリローブベーンによって搬送され、出口開口を通って、再びポンプケーシングの内側から出て行く。
【先行技術文献】
【特許文献】
【０００４】
【特許文献１】ドイツ特許出願公開第１０  ２００７  ０５４  ５４４Ａ１号
【特許文献２】欧州特許第１  ６２４  １８９Ｂ１号
【特許文献３】ドイツ特許出願公開第１０  ２００５  ０１７５７５Ａ１号
【特許文献４】国際公開第２００７／０２６  １０９Ａ１号
【発明の概要】
【発明が解決しようとする課題】
【０００５】
ロータリローブポンプは、搬送対象の媒体の種類、特にその中に含有される固形物およびロータリローブポンプが用いられる分野のゆえに、高レベルの摩耗を被る。この高レベルの摩耗のために、ロータリローブポンプの規則的なメンテナンスおよび摩耗部品の交換が必須となる。
【０００６】
ロータリローブに関する他の問題は、シールが、不適切で、すなわち、摩耗や破断しがちであるときに生じる漏洩問題と、デッドスペースに固形物が堆積すると言う問題である。
【０００７】
現存するロータリローブポンプの別の不利な点は、設置用に極めて小さい組み立てスペースが利用可能なとき、ロータリローブポンプを配置することができないか、あるいは、複雑な形でしか配置することができない、および／または、種々の分野の用途に適合することができないかまたは適合させるのが困難なことである。
【０００８】
したがって、本発明の目的は、上述した不利な点を１つ以上低減または除去するロータリローブポンプを提供するために、固形物を含有する流体媒体を搬送するロータリローブポンプ、および、ロータリローブポンプ用組み立てキットを提供することである。本発明の別の目的は、より少ない摩耗特性を示し、より容易にメンテナンスできるロータリローブポンプを提供するために、固形物を含有する流体媒体を搬送するロータリローブポンプ、および、ロータリローブポンプ用組み立てキットを提供することである。本発明のさらに別の目的は、コンパクトな設計であり、さらに設置、大きさおよび容量に関して多目的に使えるロータリローブポンプを提供するために、固形物を含有する流体媒体を搬送するロータリローブポンプ、およびロータリローブポンプ用組み立てキットを提供することである。また、本発明の目的は、安価に製造できるロータリローブポンプを提供するために、固形物を含有する流体媒体を搬送するロータリローブポンプ、および、ロータリローブポンプ用組み立てキットを提供することである。
【課題を解決するための手段】
【０００９】
これらの目的は、最初に特定された種類のロータリローブポンプにおいて、入口開口および出口開口が、接続ケーシングに配置されていることを特徴とすることによって達成される。
【００１０】
本発明は、入口開口および出口開口をポンプケーシングに配置する通常の設計から逸脱し、ポンプケーシングの内部のロータリローブへ、できる限り直接にアクセスすることによって、有利なロータリローブポンプを実現できるという発見に基づいている。本発明によれば、入口開口および出口開口は接続ケーシングに配置される。
【００１１】
両ロータリローブは、ポンプケーシングの内部に配置され、好ましくはポンプケーシングの内部に形成されたポンプチャンバの内部に配置される。２つのロータリローブは反対方向に駆動され、これらのロータリローブベーンが互いにかみ合って媒体を搬送する。
【００１２】
入口開口および出口開口が接続ケーシングにあってポンプケーシングにないという本発明の配置は、接続ケーシングがパイプシステムの入口開口および出口開口を経由して完全に一体化できること、およびロータリローブポンプを修理するためにアクセスできる必要があるのはポンプケーシングだけであるという利点を有する。
【００１３】
本発明によるロータリローブポンプのこの設計は、ロータリローブを含有するポンプケーシングと、ロータリローブポンプをパイプラインに接続するように機能する入口開口および出口開口とを空間的に分離して、より高レベルの摩耗にさらされかつさらに高頻度で交換しなければならないロータリローブが、このように接続ケーシングおよび接続ケーシングに接続されたパイプラインに依存しないでアクセスできて配置されるので、ロータリローブポンプが、極めてコンパクトな設計であることおよびより容易にメンテナンスできることを可能にする。
【００１４】
接続ケーシングは、シャフトと平行な軸方向に、ポンプケーシングから、ずれていることが好ましい。特に、入口開口および出口開口は、シャフトと平行な軸方向に、ポンプケーシングから、特にポンプケーシングの内側に形成されたポンプチャンバから、間隔を空けて配置され、または隣接するのが好ましい。このことは、入口開口および出口開口に接続されたパイプが、ポンプケーシングから間隔を空けて配置されて、ポンプケーシングが容易にアクセスされることを確実にする。
【００１５】
本発明は、ギアボックスケーシングおよび接続ケーシングが、伝動ユニットとして統合されていることによって展開することができる。
【００１６】
本発明のこの展開において、ギアボックスケーシングおよび接続ケーシングは、構造用ユニット、すなわち伝動ユニットを形成する。ギアボックスケーシングおよび接続ケーシングは、それぞれ複数のコンポーネントを含むことができ、またはそれぞれ一体構造とすることができる。特に好ましい実施の形態は、伝動ユニット全体が一体構造となったもの、すなわちギアボックスケーシングおよび接続ケーシングが、連続的な一体のコンポーネントとして統合されたものである。
【００１７】
ギアボックスケーシングは、接続ケーシングの内部に少なくとも部分的に配置されていることがもう１つの特に好ましいことであり、搬送対象の媒体を流すことができる少なくとも１つの流動スペースは、接続ケーシングとギアボックスケーシングの間に形成されていることがさらに好ましい。少なくとも１つの流動スペースは、好ましくは、入口開口および出口開口と連通しかつポンプケーシングの内部と連通し、その結果、入口開口を通って流入する媒体は、流動スペースを通って、ポンプケーシングの内部に配置されかつロータリローブを含有するポンプチャンバへと流れることができ、媒体は、ポンプチャンバから同一の流動スペースまたはさらなる流動スペースを経由して出口開口へと通過することができる。本発明のこの展開は、極めてコンパクトであり、搬送対象の媒体によってギアボックスケーシングがこのように冷却されるという利点も有し、媒体は、流動スペース内部のギアボックスケーシングの少なくとも部分の周りを流れ、それゆえにより高い動力密度を達成する。
【００１８】
本発明のロータリローブポンプの好ましい一展開において、ポンプケーシングと伝動ユニットは、互いに取り外し可能に接続される。
【００１９】
ポンプケーシングは、接続ケーシングに、ギアボックスケーシングに、または接続ケーシングおよびギアボックスケーシングの両方に、取り外し可能に接続することができる。このようにロータリローブポンプのポンプケーシングは、例えばロータリローブを修理するまたは交換するために、取り外すことができる。本発明によれば、入口開口および出口開口がポンプケーシングに配置されないために、入口開口および出口開口に接続された供給ラインおよび排出ラインは、ロータリローブポンプを修理する際に解体する必要がなく、ポンプケーシングが取り外されているときでさえも、接続ケーシングに接続されたままにすることができる。ロータリローブのアクセス性およびそれゆえにそのメンテナンス、および必要ならばその設置／解体は、伝動ユニットからポンプケーシング全体を取り外し、それゆえにロータリローブを全体が見える状態にする実現性のゆえに、大幅に促進される。
【００２０】
本発明は、２つのロータリローブをそれぞれのシャフトに取り外し可能に固定することによって展開することができる。
【００２１】
この展開の利点は、ロータリローブを交換する必要があるメンテナンスを行うとき、同じくシャフトを解体しなくてもよいことである。ポンプケーシングがいったん取り外されると、ロータリローブは、シャフトから離されるだけでよく、次いで交換することができる。
【００２２】
本発明は、摩耗プレートをポンプケーシングと伝動ユニットの間に配置し、上記摩耗プレートが、好ましくは伝動ユニットに取り外し可能に固定されていることによって展開することができる。
【００２３】
本発明のロータリローブポンプのこの好ましい展開は、摩耗プレートを伝動ユニットとポンプケーシングとの接続点に配置することによって、ロータリローブポンプのメンテナンスの容易さが改善され、その理由で極めて容易にアクセスでき、迅速に交換することができるという利点を有する。摩耗プレートは、伝動ユニットに取り外し可能に固定されていることが特に好ましく、その結果、例えば、ロータリローブを交換するために伝動ユニットからポンプケーシングを取り外すとき、また他のときに、摩耗プレートを交換または解体する場合に、摩耗プレートは容易にアクセスでき、しかも伝動ユニットに安定に固定されている。摩耗プレートは、接続ケーシングに、ギアボックスケーシングに、または接続ケーシングおよびギアボックスケーシングの両方に、取り外し可能に接続することができる。
【００２４】
ロータリローブポンプは、１つだけの摩耗プレートを有することが特に好ましい。
【００２５】
本発明によるロータリローブポンプの構造およびその展開は、先行技術のロータリローブポンプが２つの摩耗プレートを有するのとは対照的に、１つだけの摩耗プレートが必要となることを可能にする。これは、交換する必要がある摩耗部品がより少数となるので、メンテナンスに必要な回数がより少なくなるという利点を有する。摩耗部品の数がより少ないことは、メンテナンス費用が削減されていることも意味する。
【００２６】
本発明は、伝動ユニットの両シャフトが回動可能に装着され、各シャフトの一部が、ポンプケーシングの内部に形成されたポンプチャンバ内へ突き出ることによって展開することができる。ポンプケーシングは、２つのシャフト用の軸受を有しないことが特に好ましい。
【００２７】
本発明のこの好ましい展開において、ロータリローブの２つの駆動シャフト用の軸受は、伝動ユニット内、または好ましくはギアボックスケーシング内に位置する。２つのロータリローブが、トルク耐性を有するようにシャフトに固定され、したがって各シャフトによって駆動することができるように、シャフトはポンプケーシング内のポンプチャンバ内へ突き出る。特に、シャフトは、ポンプケーシング内の軸受に追加的には装着されないことが好ましい。
【００２８】
この展開は、ポンプケーシングが伝動ユニットから取り外されるときに、また、ロータリローブがシャフトから取り外されるときにも、またメンテナンス中にも、シャフトが、伝動ユニット内で単独かつ完全に装着され、ポンプケーシング内のシャフト軸受を設置または分解する必要がないという利点を有する。
【００２９】
この展開の別の利点は、このようにポンプケーシングが、簡単な設計で形成することができ、したがってシャフト軸受を含むケーシング部品よりも、速くかつ高い費用効率で製造することができることである。
【００３０】
したがって、特に好ましい展開は、ポンプケーシングが一体構造であることである。
【００３１】
２つの半殻のような先行技術の構造と比較して、ポンプケーシングが一体構造であることの利点は、ポンプケーシングが、より高い費用効率で製造することができ、かつ２つの部品のポンプケーシングよりも速くかつ簡単に設置および解体することができること、および密封しなければならならず、したがって漏洩のリスクを引き起こす追加の分離点が回避できることである。
【００３２】
本発明は、入口開口が第１流路を経由して、出口開口が第２流路を経由して、ポンプケーシングの内部に形成されたポンプチャンバに接続され、第１流路および第２流路うちのそれぞれの少なくとも一部が、シャフトと平行で実質的に軸方向に延びることによって展開することができる。
【００３３】
入口開口および出口開口が接続ケーシングにあるという本発明の配置のために、流路を設ける必要があり、この流路を通って搬送対象の媒体が、入口開口からポンプケーシングの内部に形成されたポンプチャンバへ流れ込み、ポンプチャンバから出口開口へ流れ出すことができる。この好ましい展開において、流路または流路の少なくとも部分は、軸方向に、すなわちシャフトの回動軸と平行に配置される。流路は、接続ケーシングとギアボックスケーシングの間の１つ以上の流動スペースの内部にまたは一部として、形成することができる。ポンプケーシングへの媒体の、この部分的に軸方向の流入および流出は、接続ケーシングに配置された入口開口および出口開口と、ポンプケーシングの内部に形成されかつロータリローブを含有するポンプチャンバとの軸方向の間隔を克服する。
【００３４】
本発明は、ロータリローブポンプの動作中に、接続ケーシングの上半分に入口開口および出口開口を配置することによって展開することができる。
【００３５】
本発明のこの展開は、優れた流体の供給が常に達成され、それゆえにロータリローブポンプが高動力密度で特に効率的に動作することを可能にするという利点を有する。
【００３６】
入口開口および出口開口は、ロータリローブポンプの動作中に、入口開口を包含する平面に直角の第１軸、および、出口開口を包含する平面に直角の第２軸が、それぞれ垂直から４５度の角度で傾くように、接続ケーシングに配置されていることが特に好ましい。
【００３７】
本発明のこの展開の利点は、優れた流体供給および高動力密度が達成されていることだけでなく、入口開口および出口開口に接続する入口接続部材および出口接続部材が、種々の設置状況に対して可変的に調整できることである。
【００３８】
この点について特に好ましい展開は、入口開口に取り付けられかつ入口フランジを含む入口接続部材、および、出口開口に取り付けられかつ出口フランジを含む出口接続部材であって、入口接続部材および出口接続部材は、ロータリローブポンプの動作中に、入口フランジおよび／または出口フランジが第１固定位置に水平に配置されるように、および／または、入口フランジおよび／または出口フランジが第２固定位置に直角に配置されるように、設計されて接続ケーシングに取り付けできることを特徴としている。
【００３９】
本発明のこの展開では、接続ケーシングの入口開口および出口開口に配置し、かつ、固定することができる入口部材および出口部材が設けられ、この入口部材または出口部材は、入口部材または出口部材をパイプに接続するために入口フランジまたは出口フランジを有する。入口接続部材および出口接続部材は、接続ケーシングの入口開口または出口開口に、少なくとも２つの異なるやり方で配置できるように、具体化されていることが好ましい。各接続部材は、ロータリローブポンプの動作中に関連したフランジが水平にまたは直角に配置されるように、配置することができる。これは、次の好ましい組み合わせを引き起こす。入口接続部材および出口接続部材は、ロータリローブポンプの動作中に入口フランジおよび出口フランジが水平に配置されるように配置され、入口接続部材および出口接続部材は、ロータリローブポンプの動作中に入口フランジおよび出口フランジが直角に配置されるように配置され、または、入口接続部材および出口接続部材は、ロータリローブポンプの動作中に２つの接続部材のうちの一方が水平に配置され、ロータリローブポンプの動作中に２つの接続部材のうちの他方が直角に配置されるように配置される。ロータリローブポンプのコンパクト設計を用いて、多くの種々の設置状況においてロータリローブポンプを配置することが、このように可能である。
【００４０】
本発明は、接続ケーシングが、搬送される媒体を排出できる、少なくとも１つの開放可能に閉じることができる排出孔を有することによって展開することができる。
【００４１】
本発明のこの展開は、接続ケーシングを、または少なくとも、接続ケーシングとギアボックスケーシングの間に形成された流動スペースを、完全に／またはほとんど完全に空にすることが可能となり、その結果、例えば、メンテナンス目的でロータリローブポンプが開放される際、搬送対象の媒体が流れ続けないという点で、ロータリローブポンプのメンテナンスをより行いやすくする。これを達成するために、任意のメンテナンスが実行される前に、排出孔が開かれる。ロータリローブポンプの動作中に、少なくとも１つの排出孔は、搬送される媒体のどんな不要な漏洩を防止するためにも、閉じられることが好ましい。
【００４２】
本発明の別のアスペクトは、異なる大きさおよび／または異なる容量のロータリローブポンプを提供するロータリローブポンプ用組み立てキットであって、上述した発明のロータリローブポンプを含み、さらに、互いに係合するロータリローブベーンを有する異なる大きさの少なくとも２つの追加のロータリローブを備え、上記少なくとも２つの異なる大きさの追加のロータリローブが、２つのシャフトのうちのそれぞれの１つに取り外し可能に取り付けできるように設計されている。
【００４３】
本発明の上記アスペクトによれば、本発明によるロータリローブポンプおよびその展開は、ロータリローブポンプ用組み立てキットの一部を形成することができて、ロータリローブを取り換えることによって、本発明によるロータリローブポンプを、異なる大きさおよび／または異なる容量を有するロータリローブポンプに変換することを可能にする。ロータリローブポンプ用組み立てキットは、異なる大きさ、特に異なる長さを有する２対のロータリローブを有し、２つのロータリローブの第１対または２つのロータリローブの第２対がシャフトに固定されるようにしている。本発明のロータリローブポンプ用組み立てキットは、異なる大きさからなる３対以上のロータリローブも含むことができる。さらに詳細には、ポンプケーシングが伝動ユニットに取り外し可能に固定されるとき、ロータリローブポンプは、その大きさおよび／または容量に関してロータリローブを交換することによって、極めて迅速かつ簡単に変更することができる。
【００４４】
ロータリローブポンプ用組み立てキットは、異なる大きさの少なくとも１つの追加のポンプケーシングを備え、伝動ユニットおよび異なる大きさの少なくとも１つの追加のポンプケーシングは、上記異なる大きさの少なくとも１つの追加のポンプケーシングが伝動ユニットに着脱自在であるように設計されることによって展開することができる。
【００４５】
上記発明のこの展開は、大きさおよび／または容量の範囲が著しく大きいロータリローブポンプの提供を実現することを可能にするとい利点を有する。というのは、より大きい、特により長いロータリローブについては、そのロータリローブを収容するための適切な大きさのポンプチャンバを有する、より大きい、特により長いポンプケーシングを提供することが可能であるからである。このように、ロータリローブ、そして、必要ならばポンプケーシングを単に交換することによって、接続ケーシングおよびギアボックスケーシングを用いて、伝動ユニットをパイプシステムから取り外す必要なしに、ロータリローブポンプの大きさおよび／または容量を迅速かつ簡単に変更することが可能である。
【００４６】
次に好ましい本発明の実施の形態は、以下の図面を参照して説明するものとする。
【図面の簡単な説明】
【００４７】
【図１ａ】本発明によるロータリローブポンプの第一の実施の形態の３次元図を示す。
【図１ｂ】本発明によるロータリローブポンプの第一の実施の形態の３次元図を示す。
【図２ａ】図１ａ、１ｂに示されたロータリローブポンプの前面図を示す。
【図２ｂ】図１ａ、１ｂに示されたロータリローブポンプの前面図を示す。
【図３ａ】排出孔を備えた変形例において本発明によるロータリローブポンプの別の実施の形態の３次元図を示す。
【図３ｂ】排出孔を備えた変形例において本発明によるロータリローブポンプの別の
【図４ａ】図３ａ、３ｂに示されたロータリローブポンプの前面図を示す。
【図４ｂ】図３ａ、３ｂに示されたロータリローブポンプの前面図を示す。
【図５ａ】図１ａ、１ｂに示されたロータリローブポンプの部分切欠き３次元図を示す。
【図５ｂ】図１ａ、１ｂに示されたロータリローブポンプの部分切欠き３次元図を示す。
【図６ａ】図１ａ、１ｂに示されたロータリローブポンプの長手方向断面図を示す。
【図６ｂ】図１ａ、１ｂに示されたロータリローブポンプの長手方向断面図を示す。
【図７ａ】ポンプケーシングが取り外された状態にある図６の断面図を示す。
【図７ｂ】ポンプケーシングが取り外された状態にある図６の断面図を示す。
【図８ａ】排出孔を備えた変形例において、入口接続部材および出口接続部材を含まない、本発明によるロータリローブポンプのさらなる実施の形態の後面図を示す。
【図８ｂ】排出孔を備えた変形例において、入口接続部材および出口接続部材を含まない、本発明によるロータリローブポンプのさらなる実施の形態の後面図を示す。
【図９ａ】入口接続部材および出口接続部材を含まない、本発明によるロータリローブポンプのさらなる実施の形態の前面図を示す。
【図９ｂ】入口接続部材および出口接続部材を含まない、本発明によるロータリローブポンプのさらなる実施の形態の前面図を示す。
【図１０ａ】図９ａ、９ｂに示されたロータリローブポンプの側面図を示す。
【図１０ｂ】図９ａ、９ｂに示されたロータリローブポンプの側面図を示す。
【図１１ａ】図９ａ、９ｂに示されたロータリローブポンプの後面図を示す。
【図１１ｂ】図９ａ、９ｂに示されたロータリローブポンプの後面図を示す。
【図１２ａ】図９ａ、９ｂに示されたロータリローブポンプの部分切欠き側面図を示す。
【図１２ｂ】図９ａ、９ｂに示されたロータリローブポンプの部分切欠き側面図を示す。
【図１３ａ】図９ａ、９ｂに示されたロータリローブポンプの平面図を示す。
【図１３ｂ】図９ａ、９ｂに示されたロータリローブポンプの平面図を示す。
【図１４ａ】図９ａ、９ｂに示されたロータリローブポンプの第１の３次元図を示す。
【図１４ｂ】図９ａ、９ｂに示されたロータリローブポンプの第１の３次元図を示す。
【図１５ａ】図９ａ、９ｂに示されたロータリローブポンプの第２の３次元図を示す。
【図１５ｂ】図９ａ、９ｂに示されたロータリローブポンプの第２の３次元図を示す。
【図１６ａ】ポンプケーシングの部分切欠き図を用いて、図１５ａ、１５ｂに示された３次元図を示す。
【図１６ｂ】ポンプケーシングの部分切欠き図を用いて、図１５ａ、１５ｂに示された３次元図を示す。
【発明を実施するための形態】
【００４８】
すべての図面は、要素に参照符号を付けた図面（図面番号に添付文字「ａ」を有する各図）と、より明瞭な表現のために要素に参照符号を付けていない図面（図面番号に添付文字「ｂ」を有する各図）とで示される。
【００４９】
本発明によるロータリローブポンプ（１００）は、搬送対象の媒体用に、入口開口（１１１）および出口開口（１１２）を有する。
【００５０】
図１〜図７から理解できるように、入口フランジ１１７を備えた入口接続部材１１５は、入口開口１１１に固定することができる。上記入口フランジ１１７を用いて、ロータリローブポンプ１００は、動作中にパイプライン（図示されない）に接続することができる。同様に図１〜図７から理解できるように、出口フランジ１１８を備えた出口接続部材１１６は、出口開口１１２に固定することができる。上記出口フランジ１１８を用いて、ロータリローブポンプ１００は、動作中にパイプライン（図示されない）に接続することができる。
【００５１】
図８〜図１６に示されるような、入口接続部材および出口接続部材なしの実施の形態から理解できるように、上記接続部材の配置は、任意選択である。
【００５２】
図１および図２は、本発明１００によるロータリローブポンプの一実施の形態を示し、同図において接続部材１１５、１１６のそれぞれのフランジ１１７、１１８が、ロータリローブポンプに設置されるときに実質的に直角に配置されるように、接続部材１１５、１１６は配置され、上記フランジ１１７、１１８に接続するそれぞれのパイプ（図示されない）が、９０度接続で実質的に水平に延びるようにする。
【００５３】
図３および図４に示されたロータリローブポンプ１００の実施の形態において、２つの接続部材１１５、１１６は、雁首状接続として具体化される。すなわち、２つのフランジ１１７、１１８は、ロータリローブポンプに設置されるとき、実質的に水平に配置され、フランジ１１７、１１８に接続するパイプが、ロータリローブポンプに接続されたとき、実質的に直角に延びるようにする。
【００５４】
２つの接続部材のうちの１つだけに直角のフランジを装着し、他の接続部材に実質的に水平のフランジを装着することも可能である。これは、本発明のロータリローブポンプ１００に、種々の設置状況に適合させる柔軟性をさらにもたらす。
【００５５】
図面を組み合わせて見ることで理解できるように、接続部材１１５、１１６を回動して装着することによって、本発明のロータリローブポンプ１００を雁首状接続から９０度接続へおよび逆もまた同様に極めて容易に変換すること、または接続部材なしで／または１つだけの接続部材でロータリローブポンプ１００全体を使用することが可能である。これは、本発明のロータリローブポンプ１００が、極めてコンパクトな設計となっており、かつ、種々の設置状況に簡単かつ迅速に適合することができるという利点を有する。
【００５６】
本発明のロータリローブポンプ１００の別の基本的な特徴は、入口接続部材および出口接続部材１１５、１１６が装着されるやり方には依存しない。したがって次に説明する特徴、機能性および利点は、図面に示されるような、発明のロータリローブポンプ１００の種々の実施の形態に等しく当てはまる。したがって同一のエレメント、または実質的に同一の機能を有するエレメントは、同一の参照符号を付けられる。
【００５７】
入口開口および出口開口１１１、１１２は、ロータリローブポンプ１００の接続ケーシング１５１に配置される。ロータリローブポンプ１００もまた、ポンプケーシング１４０を有する。
【００５８】
ポンプケーシング１４０の内部にポンプチャンバ１４１が形成され、互いにかみ合うロータリローブベーンを備えた２つのロータリローブ（rotary lobe）１２１、１２２が、ポンプチャンバ１４１内に配置される。第１ロータリローブ１２１は、同ロータリローブを駆動できるシャフト１３１に、トルク耐性を有するように固定される。第２ロータリローブ１２２は、第２シャフト（図示されない）に、トルク耐性を有するように固定され、第２シャフトによって駆動することができる。２つのシャフトは、典型的には反対方向に駆動され、そのために適切な伝動装置を経由して互いに連結される。このような伝動装置（図示されない）は、ギアボックスケーシング１５２内に配置される。上記ギアボックスケーシング１５２および接続ケーシング１５１は、いっしょに伝動ユニット１５０を形成する。本明細書で示される実施の形態において、ギアボックスケーシング１５２は、接続ケーシング１５１の内部に少なくとも部分的に配置される。流動スペース１５３は、接続ケーシング１５１とギアボックスケーシング１５２の間に形成され、入口開口１１１は、流動スペース１５３を経由してポンプチャンバ１４１と連通する。ロータリローブポンプ１００は、好ましくは追加の流動スペース（図示されない）を含み、出口開口１１２は、同流動スペースを経由してポンプチャンバ１４１と連通する。
【００５９】
入口開口および出口開口１１１、１１２は、シャフト１３１と平行で軸方向に延びるポンプケーシング１４０から間隔を空けて配置される。接続ケーシング１５１およびポンプケーシング１４０は、軸方向に互いにずれており、軸方向に互いに隣接する。図６から理解できるように、特に、入口開口および出口開口１１１、１１２とポンプチャンバ１４１とは（軸方向から見たこれらの中間に関してそれぞれが）、間隔Ａだけ互いに間隔を空けて配置される。
【００６０】
ポンプケーシング１４０は、伝動ユニット１５０との接続点または境界面１７０で、取り外し可能に接続される。２つのシャフトのうちの一方、この場合、シャフト１３１は、ギアボックスケーシング１５２から外へ導かれ、駆動モータ（図示されない）を用いて回動させることができる。この回動は、ギアボックスケーシング１５２内のギア機構（図示されない）によって、他方のシャフト（図示されない）へ伝動される。
【００６１】
シャフト１３１は、ギアボックスケーシング１５２内で回動可能に装着され、部分１３１ａがポンプチャンバ１４１内へ突き出る。ロータリローブ１２１は、取り外し可能にかつトルク耐性を有するように、部分１３１ａに固定される。第２ロータリローブ１２２は、第２シャフト（図示されない）に対して同様に固定される。ポンプケーシング１４０は、２つのシャフトのための軸受を有しないので、一体構造とすることができる。これは、結果的に製造するのに特に高い費用効率のポンプケーシング１４０をもたらし、同ポンプケーシングは、コアなしで鋳造することができ、扱われているときまたは処理されているときクランプするだけでよい。ポンプケーシング１４０の一体の実施の形態もまた、ケーシングの分離点の数を低減するので、ハウジングの部分が互いに嵌合する精度を、有利なことに高めることができる。
【００６２】
摩耗プレート１６０は、ポンプケーシング１４０と伝動ユニット１５０の間に配置され、上記摩耗プレートは、好ましくは伝動ユニット１５０に取り外し可能に固定される。ロータリローブポンプ１００の本発明の構造ゆえに、１つだけの単一の摩耗プレート１６０を備えることが可能であり、その結果としてメンテナンスの時間および金額の節約を達成することができる。
【００６３】
入口接続部材１１５および入口開口１１１を通って接続ケーシングに入った流体媒体は、第１流路１１３を経由してポンプチャンバ１４１に流れ込み、ポンプチャンバ１４１から第２流路１１４を経由し、出口開口１１２および出口接続部材１１６を通って、ロータリローブポンプ１００から外へ流れ出る。２つの流路１１３、１１４はそれぞれ、伝動ユニット１５０の内部に延びる第１部分１１３ａ、１１４ａ、およびポンプケーシング１４０の内部に延びる第２部分１１３ｂ、１１４ｂを有する。２つの流路１１３、１１４は、部分的にシャフト１３１と平行に、すなわちロータリローブポンプ１００の軸１８０に関してロータリローブポンプ１００の実質的に軸方向に、配置される。これは、ポンプチャンバ１４１内へのおよびポンプチャンバ１４１から外への流体媒体の、部分的に軸方向の流入および流出を生み出す。流路１１３は、流動スペース１５３の内部に少なくとも部分的に形成され、または流動スペース１５３の一部を形成する。同じことが、流路１１４および別の流動スペース（図示されない）に当てはまる。流動スペースおよび流路を通る流体媒体の、少なくとも部分的に軸方向の流入および流出のゆえに、入口開口１１１および出口開口１１２とポンプチャンバ１４１との軸方向の間隔Ａが克服される。
【００６４】
ロータリローブポンプ１００の動作中に接続ケーシング１５１の上半分内に入口開口１１１および出口開口１１２を配置することは、結果的に、ロータリローブポンプ１００内および特にポンプチャンバ１４１内に、特に流体媒体の、少なくとも部分的に軸方向の流入および流出と組み合わせて、常に優れた流体供給をもたらす。
【００６５】
図３、図４および図８から理解できるように、接続ケーシング１５１は、着脱可能なカバープレート１５５ａ、１５５ｂを備えた２つの開閉可能な排出孔１５４ａ、１５４ｂを有することができ、搬送される媒体は、同排出孔を通って排出することができる。これは、接続ケーシング１５１を、特に、接続ケーシングとギアボックスケーシングの間に形成された少なくとも１つの流動スペース１５３を、および流路１１３を、完全にまたはほとんど完全に空にすることが可能となり、その結果、例えばメンテナンス目的でロータリローブポンプが開かれる際、搬送対象の媒体が流れ続けないという点で、ロータリローブポンプのメンテナンスを容易にする。ロータリローブポンプ１００の動作中に、カバープレート１５５ａ、１５５ｂは、搬送される媒体のどんな不要な漏洩を防止するためにも、排出孔１５４ａ、１５４ｂを固く閉じることが好ましい。
【００６６】
接続ケーシング１５１上の入口開口および出口開口１１１、１１２の本発明の配置の結果として、および、ポンプケーシング１４０内の２つのロータリローブ１２１、１２２の本発明の配置の結果として、追加の利点がもたらされる。最初に、入口開口および出口開口１１１、１１２に隣接し、かつ、接続フランジ１１７、１１８を備えた接続部材１１５、１１６を経由して、ロータリローブポンプ１００をパイプシステム（図示されない）内の接続ケーシング１５１に堅く接続することが可能である。接続ケーシング１５１のこの堅い接続にもかかわらず、同時に摩耗部品を、特に摩耗プレート１６０およびロータリローブ１２１、１２２を、ポンプケーシング１４０を取り外すことによって容易かつ迅速に交換することが可能である。このように、他の大きさのロータリローブおよび他の大きさのポンプケーシングをシャフトおよび伝動ユニット１５０に取り付けること、およびそれゆえにロータリローブポンプ１００の大きさおよび容量を、このようなロータリローブポンプ用の組み立てキットを用いて簡単かつ迅速に変更することも可能である。この点については、一方では伝動ユニットおよびシャフトの各接続および各取り付け機構、および他方では異なる大きさからなるロータリローブおよびポンプケーシングが、種々の組み合わせが同一の接続および取り付け機構を用いて実現できるように設計されていることが好ましい。
【００６７】
全体的に見て、本発明のロータリローブポンプ１００の構造は、固形物が堆積できるデッドスペースをほとんど有しない。
【図１ａ】
0005918766.tif 000002
【図１ｂ】
0005918766.tif 000003
【図２ａ】
0005918766.tif 000004
【図２ｂ】
0005918766.tif 000005
【図３ａ】
0005918766.tif 000006
【図３ｂ】
0005918766.tif 000007
【図４ａ】
0005918766.tif 000008
【図４ｂ】
0005918766.tif 000009
【図５ａ】
0005918766.tif 000010
【図５ｂ】
0005918766.tif 000011
【図６ａ】
0005918766.tif 000012
【図６ｂ】
0005918766.tif 000013
【図７ａ】
0005918766.tif 000014
【図７ｂ】
0005918766.tif 000015
【図８ａ】
0005918766.tif 000016
【図８ｂ】
0005918766.tif 000017
【図９ａ】
0005918766.tif 000018
【図９ｂ】
0005918766.tif 000019
【図１０ａ】
0005918766.tif 000020
【図１０ｂ】
0005918766.tif 000021
【図１１ａ】
0005918766.tif 000022
【図１１ｂ】
0005918766.tif 000023
【図１２ａ】
0005918766.tif 000024
【図１２ｂ】
0005918766.tif 000025
【図１３ａ】
0005918766.tif 000026
【図１３ｂ】
0005918766.tif 000027
【図１４ａ】
0005918766.tif 000028
【図１４ｂ】
0005918766.tif 000029
【図１５ａ】
0005918766.tif 000030
【図１５ｂ】
0005918766.tif 000031
【図１６ａ】
0005918766.tif 000032
【図１６ｂ】
0005918766.tif 000033